(57)【要約】【課題】重量が軽いうえに耐荷重強度が大きい雨水貯留浸透槽の上面材を提供する。【解決手段】地下に埋設されて雨水を貯留又は浸透させる雨水貯留浸透槽を構成する充填部材のうち、最上部に配置される雨水貯留浸透槽の上面材２である。  そして、上方から作用する荷重を受ける板部２１と、板部２１の周縁に配置されて別の充填部材を連結する脚材が嵌め合わされる連結部２３，・・・と、板部２１を補強するために板部２１の下面側に配置されるリブ部２４と、を備えるとともに、リブ部２４には、板部２１の中央近傍の高さが周囲よりも高い山型リブ部２４１，２４３が設けられる。【選択図】図１
2010077775.tif 000002
【特許請求の範囲】
【請求項１】
地下に埋設されて雨水を貯留又は浸透させる雨水貯留浸透槽を構成する充填部材のうち、最上部に配置される雨水貯留浸透槽の上面材であって、
上方から作用する荷重を受ける板部と、前記板部の周縁に配置されて別の充填部材を連結する脚材が嵌め合わされる連結部と、前記板部を補強するために前記板部の下面側に配置されるリブ部と、を備えるとともに、
前記リブ部には、前記板部の中央近傍の高さが周囲よりも高い山型リブ部が設けられることを特徴とする雨水貯留浸透槽の上面材。
【請求項２】
前記板部は四角形に形成され、前記板部の四隅には前記連結部が配置され、対角に位置する前記連結部どうしを結ぶように対角リブ部が設けられることを特徴とする請求項１に記載の雨水貯留浸透槽の上面材。
【請求項３】
前記対角リブ部として、中央近傍の高さが周囲よりも高い山型対角リブ部と、中央近傍の高さが周囲と等しい平型対角リブ部と、が設けられ、
前記山型対角リブ部の中央近傍には、前記平型対角リブ部と等しい高さの台状部が設けられることを特徴とする請求項２に記載の雨水貯留浸透槽の上面材。
【請求項４】
前記リブ部にはスタックピン部が設けられるとともに、前記板部には前記スタックピン部の位置に対応してスタック孔部が設けられることを特徴とする請求項１乃至請求項３のいずれか一項に記載の雨水貯留浸透槽の上面材。
【請求項５】
前記脚材は、直角二等辺三角形の断面を有する筒状に形成され、内部には頂角と底辺中央とを繋ぐ連繋リブ部が設けられるとともに、前記連繋リブ部は前記底辺に接続される側の高さが高く形成されることを特徴とする請求項１乃至請求項４のいずれか一項に記載の雨水貯留浸透槽の上面材。
【請求項６】
請求項１乃至請求項５のいずれか一項に記載の雨水貯留浸透槽の上面材を備えることを特徴とする雨水貯留浸透槽。
【発明の詳細な説明】
【技術分野】
【０００１】
本発明は、地下に埋設されて雨水を貯留する雨水貯留浸透槽の上面材と、雨水貯留浸透槽に関するものである。
【背景技術】
【０００２】
近年、都市化が急激に進んだことで、舗装の面積が増加したため、雨水が地中に浸み込まずに、一気に河川に流れ込むようになっている。
【０００３】
このため、都市型の洪水が起こる反面、普段は河川の流量が少なく、水質が悪化し、地下水が枯れるなどの問題が生じている。
【０００４】
また、地下水の低下によって渇水の危険性が高まり、緑地や街路樹などの潤いが失われ、気温の上昇や地中の乾燥化などが生じて、都市の気候変化をもたらすことも明らかになってきている。
【０００５】
このような問題を解決するために、雨水を貯留させる技術や雨水を地中に浸透させる技術が開発されている。
【０００６】
例えば、特許文献１には、雨水貯留浸透槽の充填部材のうち、最上部の充填部材の直上に、上面材として平板状の補強部材が載置されていることで、上載荷重に対して充分な耐荷重強度が得られることが開示されている。
【特許文献１】特開２００６−８３５５６号公報
【発明の開示】
【発明が解決しようとする課題】
【０００７】
しかしながら、前記特許文献１の上面材は、耐荷重強度を大きくするために、２枚の部材を融着によって張り合わせて形成されていたため、重量が重くなって施工性が悪いうえにコストもかさむという問題があった。
【０００８】
そこで、本発明は、重量が軽いうえに耐荷重強度が大きい雨水貯留浸透槽の上面材と、この雨水貯留浸透槽の上面材を備える雨水貯留浸透槽と、を提供することを目的としている。
【課題を解決するための手段】
【０００９】
前記目的を達成するために、本発明の雨水貯留浸透槽の上面材は、地下に埋設されて雨水を貯留又は浸透させる雨水貯留浸透槽を構成する充填部材のうち、最上部に配置される雨水貯留浸透槽の上面材であって、上方から作用する荷重を受ける板部と、前記板部の周縁に配置されて別の充填部材を連結する脚材が嵌め合わされる連結部と、前記板部を補強するために前記板部の下面側に配置されるリブ部と、を備えるとともに、前記リブ部には、前記板部の中央近傍の高さが周囲よりも高い山型リブ部が設けられることを特徴とする。
【００１０】
また、前記板部は四角形に形成され、前記板部の四隅には前記連結部が配置され、対角に位置する前記連結部どうしを結ぶように対角リブ部が設けられることが好ましい。
【００１１】
さらに、前記対角リブ部として、中央近傍の高さが周囲よりも高い山型対角リブ部と、中央近傍の高さが周囲と等しい平型対角リブ部と、が設けられ、前記山型対角リブ部の中央近傍には、前記平型対角リブ部と等しい高さの台状部が設けられることが好ましい。
【００１２】
そして、前記リブ部にはスタックピン部が設けられるとともに、前記板部には前記スタックピン部の位置に対応してスタック孔部が設けられることが好ましい。
【００１３】
また、前記脚材は、直角二等辺三角形の断面を有する筒状に形成され、内部には頂角と底辺中央とを繋ぐ連繋リブ部が設けられるとともに、前記連繋リブ部は前記底辺に接続される側の高さが高く形成される構成とすることができる。
【００１４】
さらに、本発明の雨水貯留浸透槽は、上記したいずれかの雨水貯留浸透槽の上面材を備えることを特徴とする。
【発明の効果】
【００１５】
このように、本発明の雨水貯留浸透槽の上面材は、雨水貯留浸透槽を構成する充填部材のうち、最上部に配置される雨水貯留浸透槽の上面材であって、板部と連結部とリブ部とを備えるとともに、リブ部には板部の中央近傍の高さが周囲よりも高い山型リブ部が設けられることを特徴とする。
【００１６】
したがって、板部に荷重が作用しても、曲げモーメントが小さい周囲のリブ部の高さは低いままで曲げモーメントが大きい中央近傍のリブ部の高さが高くなっているため、全体の重量を軽くしつつ耐荷重強度を大きくすることができる。
【００１７】
また、板部は四角形に形成され、板部の四隅には連結部が配置され、対角に位置する連結部どうしを結ぶように対角リブ部が設けられることで、荷重を支える支点となる連結部と曲げモーメントが大きい中央近傍とを直接的に繋いで耐荷重強度を大きくすることができる。
【００１８】
さらに、対角リブ部として山型対角リブ部と平型対角リブ部とが設けられ、山型対角リブ部の中央近傍には、平型対角リブ部と等しい高さの台状部が設けられることで、雨水貯留浸透槽の上面材を保管・運搬する際に、相互に積み重ねた状態での安定性が向上する。
【００１９】
そして、リブ部にはスタックピン部が設けられるとともに、板部にはスタックピン部の位置に対応してスタック孔部が設けられているため、雨水貯留浸透槽の上面材を保管・運搬する際に、相互に積み重ねた状態でスタックピン部をスタック孔部に挿入しておけば横ずれを防止できる。
【００２０】
また、脚材は直角二等辺三角形の筒状に形成され、内部には頂角と底辺中央とを繋ぐ連繋リブ部が設けられるとともに、連繋リブ部は底辺に接続される側の高さが高く形成されることで、脚材の高さを高くしても所定の耐荷重強度を保持することができる。
【００２１】
さらに、本発明の雨水貯留浸透槽は、上記したいずれかの雨水貯留浸透槽の上面材を備えることで、全体の重量が軽いうえに耐荷重強度が大きい雨水貯留浸透槽になる。
【発明を実施するための最良の形態】
【００２２】
以下、本発明の最良の実施の形態について図面を参照して説明する。
【００２３】
まず、図２を用いて本実施の形態の雨水貯留浸透槽Ｓの上面材２を備える雨水貯留浸透槽Ｓの全体構成を説明する。なお、図２においては、説明の便宜のために、透水シート７５の一部を破断して示している。
【００２４】
本実施の形態の雨水貯留浸透槽Ｓは、図２に示すように、道路８１の路面８１ａに降った雨水が側道８３に設けたグレーチング８３ａから流入する流入マス７１、この流入マス７１から流入管７３を通じて雨水が流入する充填部材１，・・・、この充填部材１，・・・に溜まった砂や泥を集砂管７４を通じて取り除くための点検マス７２、などを備えて道路８１の敷設方向に沿って側道下の地中に埋設されている。
【００２５】
この雨水貯留浸透槽Ｓは、図２，３に示すように、充填部材１として、最上部に配置される上面材２と、脚材３，・・・や連結片３９，・・・を介して積層される傾斜材４，・・・と、最下部に配置される下面材５と、全体を覆う透水シート７５（図２参照）と、下部に挿入される集砂枠（不図示）と、を重ね合わせて１列に並べて構成されている。なお、図３では省略したが、充填部材１としての脚材３、傾斜材４及び下面材５の側面には、図２に示すように、側面を覆う板状の側面材が設置されている。
【００２６】
そして、本実施の形態の雨水貯留浸透槽Ｓの上面材２は、ポリプロピレンなどの樹脂によって形成されるもので、図１，４に示すように、上方から作用する荷重を直接的に受ける板部２１と、板部２１の外周を囲む側壁部２２と、板部２１の周縁に配置されて別の充填部材１を連結する脚材３，・・・を連結するための連結片３９，・・・が嵌め合わされる連結部２３，・・・と、板部２１の剛性を補強するために板部２１の下面側に配置されるリブ部２４，・・・と、を備えている。
【００２７】
板部２１は、正方形（四角形）の板状に形成されるもので、図６の平面図に示すように、板面を上下方向に貫通する多数の通気孔２１ａ，・・・や４つのスタック孔部２９，・・・などが設けられている。
【００２８】
このスタック孔部２９は、後述する４つの山型対角リブ部２４１の４つの交点に対応して配置されるもので、保管や運搬などの際に上面材２を相互に積み重ねた状態で、後述する４つのスタックピン部２８，・・・（図１，４参照）のそれぞれの位置に対応するように配置されている。
【００２９】
また、側壁部２２は、図１，４に示すように、板部２１を取り囲むように立設されるもので、辺の中央近傍の高さが高く形成されて山状になっており、リブ部２４とともに板部２１の剛性を補強している。
【００３０】
さらに、連結部２３は、隅角部の板部２１と側壁部２２，２２と角リブ部２４４とによって囲まれて二等辺三角柱状に形成される空間であり、正方形の板部２１の四隅に配置されている。
【００３１】
そして、本実施の形態のリブ部２４は、対角に位置する連結部２３，２３どうしを結ぶように対角線方向に沿った対角リブ部２４０と、側壁部２２，２２隅角部とともに連結部２３を構成する角リブ部２４４と、対向する側壁部２２，２２の中央近傍どうしを結ぶ山型リブ部としての直角リブ部２４３と、を備えている。
【００３２】
対角リブ部２４０は、図５に示すように、中央近傍の高さが両端よりも高い山型リブ部としての山型対角リブ部２４１と、中央近傍の高さが両端と等しい平型対角リブ部２４２と、を備えている。
【００３３】
加えて、この山型対角リブ部２４１の中央近傍には、平型対角リブ部２４２と高さの等しい台状部２４１ａが設けられており、全体として富士山形の突出部分が形成されている。
【００３４】
そして、本実施の形態では、図１，４に示すように、多数のリブ部２４が交差する剛性の高い山型対角リブ部２４１どうしの交点に、上面材２を保管・運搬する際の横ずれを防止するためのスタックピン部２８，・・・が突設されている。
【００３５】
このスタックピン部２８は、図１，４，７に示すように、山型対角リブ部２４１どうしの交点部分に円柱状に厚みを持たせて形成されるもので、交点部分より上方に突出してスタック孔部２９に係止される突出部分を有している。
【００３６】
さらに、スタックピン部２８が配置される山型対角リブ部２４１どうしの交点部分には、板部２１において山型対角リブ部２４１が設けられる側と反対側に、スタックピン部２８と略同一の径かつ突出部分の高さと略同一の深さに形成されるスタック孔部２９が設けられている。
【００３７】
一方、平型対角リブ部２４２は、両側に設けられた一対の山型対角リブ部２４１，２４１の中央部に設けられるもので、図５に示すように、中央近傍の高さが両端の高さと等しく形成されており、両端には端部を補強しつつ脚材３の底辺３４と接して連結強度を高める舌状部２４２ａが突出するように設けられている。
【００３８】
さらに、連結片３９は、ポリプロピレン樹脂などによって、脚材３より高さの低い中空の三角柱状に形成される。そして、上縁が上面材２の四隅の連結部２３に嵌合されるとともに、下縁が脚材３の上縁に嵌合されている。
【００３９】
そして、本実施の形態の雨水貯留浸透槽Ｓの脚材３は、図８に示すように、直角二等辺三角形の断面を有する筒状に形成されるもので、一方の端面には連結のための挿入部３８が設けられ、中空の内部には底辺３４の補強のために頂角３０と底辺３４中央とを繋ぐ連繋リブ部３５が設けられている。
【００４０】
したがって、この脚材３が連結片３９を介して上面材２に連結された状態では、連繋リブ部３５と平型対角リブ部２４２は一直線上に並ぶように位置することとなる。
【００４１】
連繋リブ部３５は、底辺３４を補強することで脚材３全体の剛性を高めるためのもので、底辺３４に接続される高さの高い高リブ部３６と、頂角３０に接続される高さの低い低リブ部３７と、を備えて階段状に構成されている。
【００４２】
さらに、この高リブ部３６の付け根付近から両側の等辺３３，３３に向かって、底辺３４や連繋リブ部３５の座屈を防止するための補助リブ部３５Ｂ，３５Ｂが設けられている。
【００４３】
そして、傾斜材４は、ポリプロピレン樹脂などによって形成されるもので、正方形（四角形）の板状の傾斜面４０の四隅の上下面に連結部４１，・・・を備えている。
【００４４】
この傾斜面４０は、水平面から約５度傾斜しており、雨水貯留浸透槽Ｓの敷設方向に傾斜を揃えて配設されているため、流入した雨水を一定方向に誘導することができる。したがって、雨水に混入した砂や泥などは集砂枠（不図示）に溜めることができる。
【００４５】
加えて、この傾斜面４０には、空気や雨水が上下方向に貫通できる複数の小孔（不図示）が設けられているとともに、裏面には縦横にリブ（不図示）が配設されて補強されている。
【００４６】
また、透水シート７５は、ポリエステル系の不織布などを用いることで透水性を有しており、雨水貯留浸透槽Ｓの全体を覆うことで貯留された雨水を地盤へ浸透させるように形成されている。なお、この透水シート７５は浸透タイプの雨水貯留浸透槽Ｓに用いるものであり、貯留タイプでは合成ゴムなどの遮水シートを用いる。
【００４７】
次に、本実施の形態の雨水貯留浸透槽Ｓの上面材２の作用について説明する。
【００４８】
このように、本実施の形態の雨水貯留浸透槽Ｓの上面材２は、雨水貯留浸透槽Ｓを構成する充填部材１のうち、最上部に配置される雨水貯留浸透槽Ｓの上面材２であって、板部２１と連結部２３とリブ部２４とを備えるとともに、リブ部２４には板部の中央近傍の高さが周囲よりも高い山型リブ部としての山型対角リブ部２４１や直角リブ部２４３が設けられることを特徴とする。
【００４９】
したがって、板部２１に荷重が作用しても、曲げモーメントが小さい周囲のリブ部の高さは低いままで曲げモーメントが大きい中央近傍のリブ部の高さが高くなっているため、全体の重量を軽くしつつ耐荷重強度を大きくすることができる。
【００５０】
すなわち、連結部２３，・・・は板部２１の周縁に配置されているため、板部２１に土砂などの上載荷重が作用すると、板部２１はこの周縁の連結部２３，・・・に両端を支持されて中央近傍の曲げモーメントが大きくなる。
【００５１】
したがって、周縁近傍の高さは側壁部２２と略同一にしたままで、中央近傍の上下方向の高さを高くした山型リブ部として山型対角リブ部２４１や直角リブ部２４３を備えることで、曲げモーメントを効率よく受けることができる。
【００５２】
また、本実施の形態の雨水貯留浸透槽Ｓの充填部材１は、そもそも人手で運んで組み立てることを特徴としているため、上記のように部材の高さを抑えて軽量化できることは特に重要であるといえる。
【００５３】
さらに、上記のように部材の高さを押えて軽量化できれば、上面材２の材料費の節約にもなり、雨水貯留浸透槽Ｓの構築費用を抑制できるようになる。
【００５４】
加えて、このように雨水貯留浸透槽Ｓの上面材２の耐荷重強度が大きくなれば、より浅く地表の荷重が地盤を通じて直接的に伝達されるような場合にも上面材２を適用できるようになるため、同じ掘削土量でより貯留容量を大きくできることになる。
【００５５】
また、上面材２は四角形に形成され、板部２１の四隅には連結部２３，・・・が配置され、対角に位置する連結部２３，２３どうしを結ぶように対角リブ部２４０が設けられることで、荷重を支える支点となる連結部２３，２３と曲げモーメントが大きい中央近傍とを直接的に繋いで耐荷重強度を大きくすることができる。
【００５６】
そして、このように対角状にリブ部２４を配置して、連結部２３，２３と中央近傍とを直接的に繋ぐことができれば、従来のように格子状にリブ部２４を配置する場合と比べて、リブ部２４の数を減らすことができる。
【００５７】
加えて、本実施の形態のように上面材２や傾斜材４や下面材５を正方形に形成すれば、四辺の長さが等しくなるため、隣接する充填部材１に対する傾斜材４の向きを変えることで、傾斜面４０を流れる雨水の方向を自在に変えることができる。
【００５８】
さらに、対角リブ部２４０として山型対角リブ部２４１と平型対角リブ部２４２とが設けられ、山型対角リブ部２４１の中央近傍には平型対角リブ部２４２と等しい高さの台状部２４１ａが設けられることで、雨水貯留浸透槽Ｓの上面材２を保管・運搬する際に、相互に積み重ねた状態での安定性が向上する。
【００５９】
すなわち、保管・運搬の際には、一方の上面材２の山型対角リブ部２４１の台状部２４１ａ、直角リブ部２４３及び平型対角リブ部２４２によって形成される平面部分を、他方の上面材２の板部２１に合わせるように載置することで、相互にガタつきなく積み重ねることができるようになる。
【００６０】
このように、スタック性が向上することは、本実施の形態の充填部材１としての上面材２のように、工場生産された後に保管・運搬する必要がある充填部材１では特に重要である。
【００６１】
ここにおいて、中央近傍のリブ部２４を高くし、高くなった中央部分を平面状にすることで、効率よく曲げモーメントを受けつつ、スタック性を高めることができる。
【００６２】
そして、リブ部２４には複数のスタックピン部２８が距離をおいて配置されるとともに、板部２１にはスタックピン部２８の位置に対応してスタック孔部２９が設けられているため、雨水貯留浸透槽Ｓの上面材２を保管・運搬する際に、相互に積み重ねた状態でスタックピン部２８をスタック孔部２９に挿入しておけば、相対的な横ずれや回転を防止できる。
【００６３】
また、脚材３は直角二等辺三角形の筒状に形成され、内部には頂角３０と底辺３４中央とを繋ぐ連繋リブ部３５が設けられるとともに、連繋リブ部３５は底辺３４に接続される側の高さが高く形成されることで、脚材３の高さを従来の２倍程度に高くしても所定の耐荷重強度を保持することができる。
【００６４】
すなわち、連繋リブ部３５によって底辺３４の曲げ耐力を補強しつつ、補助リブ部３５Ｂによって等辺３３と底辺３４を繋いで連繋リブ部３５や底辺３４の座屈を防止することができる。
【００６５】
この場合、連繋リブ部３５は、高リブ部３６と低リブ部３７とを備えて階段状に形成されることで、部材を節約して脚材３を軽量化できる。
【００６６】
そして、脚材３が連結片３９を介して上面材２に連結された状態では、連繋リブ部３５と平型対角リブ部２４２は一直線上に並ぶように位置することになるため、上面材２に作用する曲げモーメントは上面材２の平型対角リブ部２４２の端部の舌状部２４２ａから、脚材３の連繋リブ部３５へと円滑に伝達される。
【００６７】
加えて、このように脚材３の剛性を高めて上下方向の高さを高くできれば、上面材２と下面材５の中間に配置される傾斜材４などの部品点数を減らすことができるため、貯留容量を確保しつつ雨水貯留浸透槽Ｓを軽量化できる。
【００６８】
さらに、本実施の形態の雨水貯留浸透槽Ｓは、上記したいずれかの雨水貯留浸透槽Ｓの上面材２を備えることで、全体の重量が軽いうえに耐荷重強度が大きい雨水貯留浸透槽Ｓになる。
【００６９】
そして、このように軽量化できれば、材料も節約できるようになるため、全体として費用を抑えた雨水貯留浸透槽Ｓを提供できることになる。
【００７０】
以上、図面を参照して、本発明の最良の実施の形態を詳述してきたが、具体的な構成は、この実施の形態に限らず、本発明の要旨を逸脱しない程度の設計的変更は、本発明に含まれる。
【００７１】
例えば、前記実施の形態では、対角リブ部２４０として山型対角リブ部２４１と平型対角リブ部２４２とを備える場合について説明したが、これに限定されるものではなく、山型対角リブ部２４１のみを備えるものであってもよい。
【００７２】
また、前記実施の形態では、充填部材１として傾斜面４０を有する傾斜材４を有する場合について説明したが、これに限定されるものではなく、傾斜材４を有しない雨水貯留浸透槽にも適用できる。
【図面の簡単な説明】
【００７３】
【図１】本発明の最良の実施の形態の雨水貯留浸透槽の上面材の構成を説明する斜視図である。
【図２】雨水貯留浸透槽の全体図である。
【図３】雨水貯留浸透槽の充填部材の構成を説明する分解斜視図である。
【図４】本発明の最良の実施の形態の雨水貯留浸透槽の上面材の構成を説明する底面図である。
【図５】本発明の最良の実施の形態の雨水貯留浸透槽の上面材の構成を説明する側面図である。
【図６】本発明の最良の実施の形態の雨水貯留浸透槽の上面材の構成を説明する平面図である。
【図７】本発明の最良の実施の形態の雨水貯留浸透槽の上面材のスタックピン部の構成を拡大して説明する拡大断面図である。
【図８】本発明の最良の実施の形態の雨水貯留浸透槽の上面材の脚材の構成を拡大して説明する拡大断面図である。（ａ）は平面図であり、（ｂ）は（ａ）のＡ−Ａ断面図である。
【符号の説明】
【００７４】
Ｓ            雨水貯留浸透槽
１            充填部材
２            上面材
２１          板部
２２          側壁部
２３          連結部
２４          リブ部
２４０        対角リブ部
２４１        山型対角リブ部（山型リブ部）
２４１ａ      台状部
２４２        平型対角リブ部
２４３        直角リブ部（山型リブ部）
２８          スタックピン部
２９          スタック孔部
３            脚材
３３          等辺
３４          底辺
３５          連繋リブ部
３６          高リブ部
３７          低リブ部
４            傾斜材
５            下面材
【図１】
2010077775.tif 000003
【図２】
2010077775.tif 000004
【図３】
2010077775.tif 000005
【図４】
2010077775.tif 000006
【図５】
2010077775.tif 000007
【図６】
2010077775.tif 000008
【図７】
2010077775.tif 000009
【図８】
2010077775.tif 000010